(57)【特許請求の範囲】
【請求項１】
車両用の表示ミラーアセンブリであって、
全画面表示モジュールと、
当該電気光学素子の周囲において画定される複数の面を含む電気光学素子と、
を備え、
前記電気光学素子は、
その対向面上に配置された第１の表面と第２表面とを有する第１の実質的に透明な基体であって、前記第２の表面は第１の導電層を含む、第１の実質的に透明な基体と、
その対向面上に配置された第３の表面と第４の表面とを有する第２の実質的に透明な基体であって、前記第３の表面は第２の導電層を含む、第２の実質的に透明な基体と、
前記第１の基体と前記第２の基体との間に配置された１次シールであって、前記シール並びに前記第１及び第２の基体がそれらの間に空洞を画定する、１次シールと、
前記空洞内に配置される電気光学媒体であって、当該電気光学媒体は当該電気光学媒体が概して明るい状態と暗い状態との間で動作可能なように可変透過性である、電気光学媒体と、
前記電気光学素子の同一面上に位置する第１の電気接続部及び第２の電気接続部と、
前記第１の電気接続部を前記第１の導電層に電気的に接続するように構成された第１のコンダクタと、
前記第２の電気接続部を前記第２の導電層に電気的に接続するように構成された第２のコンダクタと、
前記第１の導電層を通って配置され、前記第１の導電層から前記第２のコンダクタを電気的に分離するように構成された、分離線と、
を有している
ことを特徴とするアセンブリ。
【請求項２】
前記電気光学素子は、部分的透過性かつ部分的反射性である
ことを特徴とする請求項１に記載の表示ミラーアセンブリ。
【請求項３】
前記全画面表示モジュールは、前記電気光学素子の車両前方に位置している
ことを特徴とする請求項１及び２のいずれかに記載の表示ミラーアセンブリ。
【請求項４】
前記第１の電気接続部は、第１のコンダクタに電気的に結合されており、
前記第２の電気接続部は、第２のコンダクタに電気的に結合されている
ことを特徴とする請求項１乃至３のいずれかに記載の表示ミラーアセンブリ。
【請求項５】
前記第２のコンダクタは、前記第１の電気接続部と対向する前記電気光学素子の面に延びている
ことを特徴とする請求項４に記載の表示ミラーアセンブリ。
【請求項６】
前記第１のコンダクタと前記第２のコンダクタとは、前記１次シールの外周側に位置している
ことを特徴とする請求項５に記載の表示ミラーアセンブリ。
【請求項７】
車両用の表示ミラーアセンブリであって、
全画面表示モジュールと、
電気光学素子と、
を備え、
前記電気光学素子は、
その対向面上に配置された第１の表面と第２の表面とを有する第１の実質的に透明な基体と、
その対向面上に配置された第３の表面と第４の表面とを有する第２の実質的に透明な基体と、
前記第１の基体と前記第２の基体との間に配置された１次シールと、
当該電気光学素子の上面に沿って、前記第１の基体と前記第２の基体との間に位置し、第１の電気接続部及び第１の導電層に電気的に結合される、第１のコンダクタと、
前記第１の基体と前記第２の基体との間に位置する第２のコンダクタと、
前記第１の導電層から前記第２のコンダクタを電気的に分離するように構成された分離線と、
を有しており、
前記第２のコンダクタは、第２の電気接続部及び第２の導電層に電気的に結合されており、
前記第２のコンダクタは、前記第２の導電層とは異なる前記電気光学素子の面上で前記第２の電気接続部に電気的に結合されている
ことを特徴とするアセンブリ。
【請求項８】
前記第１のコンダクタと前記第２の電気接続部との間に分離ギャップが画定され、前記分離ギャップは約５０ｍｍ未満の長さを有する
ことを特徴とする請求項７に記載の表示ミラーアセンブリ。
【請求項９】
前記第１のコンダクタと前記第２の電気接続部との間に分離ギャップが画定され、前記分離ギャップは約３０ｍｍ未満の長さを有する
ことを特徴とする請求項８に記載の表示ミラーアセンブリ。
【請求項１０】
前記第１の電気接続部及び前記第２の電気接続部は、前記電気光学素子の上面上に位置する
ことを特徴とする請求項７乃至９のいずれかに記載の表示ミラーアセンブリ。
【請求項１１】
前記第２のコンダクタは、導電バスを介して前記導電層に電気的に結合されている
ことを特徴とする請求項７乃至１０のいずれかに記載の表示ミラーアセンブリ。
【請求項１２】
前記第１のコンダクタは、前記第１の基体上に位置する分光フィルタに電気的に結合されている
ことを特徴とする請求項７乃至１１のいずれかに記載の表示ミラーアセンブリ。
【請求項１３】
前記全画面表示モジュールは、当該表示ミラーアセンブリの表示面の少なくとも７０％にわたって延びている
ことを特徴とする請求項７乃至１２のいずれかに記載の表示ミラーアセンブリ。
【請求項１４】
前記第１及び第２のコンダクタは、前記１次シールの外周側に位置している
ことを特徴とする請求項７乃至１３のいずれかに記載の表示ミラーアセンブリ。
【請求項１５】
車両用の表示ミラーアセンブリであって、
全画面表示モジュールと、
前記全画面表示モジュールの車両前方に位置する電気光学素子と、
を備え、          
前記電気光学子は、
第１の実質的に透明な基体と、
第２の実質的に透明な基体と、
前記第１の基体と前記第２の基体との間に位置する電気光学媒体と、
前記電気光学素子の同一面上に位置する第１の電気接続部及び第２の電気接続部と、
前記第１の電気接続部に電気的に結合された第１のコンダクタ、及び、前記第２の電気接続部に電気的に結合された第２のコンダクタと、
導電層を通って配置され、前記第１のコンダクタから前記第２のコンダクタを電気的に分離するように構成された、分離線と、
を有し、
前記第１のコンダクタ及び第２のコンダクタは、前記電気光学素子の対向面上で前記電気光学媒体と電気的に結合されている
ことを特徴とするアセンブリ。
【請求項１６】
前記電気光学素子は、部分的透過性かつ部分的反射性である
ことを特徴とする請求項１５に記載の表示ミラーアセンブリ。
【請求項１７】
前記第１及び第２のコンダクタは、１次シールの外周側に位置する
ことを特徴とする請求項１５または１６に記載の表示ミラーアセンブリ。
【請求項１８】
前記第１及び第２の電気接続部は、前記電気光学素子の上面上に位置する
ことを特徴とする請求項１５乃至１７のいずれかに記載の表示ミラーアセンブリ。
【請求項１９】
前記第２のコンダクタは、導電バスを介して前記第２の基体上に位置する導電層に電気的に結合されている
ことを特徴とする請求項１５乃至１８のいずれかに記載の表示ミラーアセンブリ。
【請求項２０】
前記第１のコンダクタと前記第２の電気接続部との間に分離ギャップが画定され、前記分離ギャップは約１ｃｍ超の長さを有する
ことを特徴とする請求項１５乃至１９のいずれかに記載の表示ミラーアセンブリ。
【発明の詳細な説明】
【技術分野】
【０００１】
本開示は、概して車両ミラーシステムに関し、より具体的には、バックミラーシステムに関する。
【背景技術】
【０００２】
車両は通常、車両の運転者が車両の後ろを観察することを可能にするためのバックミラーシステムを含む。表示要素をバックミラーアセンブリ内に組み込むことは、接続およびコンダクタなどの電気構成要素の配置に関する寸法上の制約の問題を呈し得る。
【発明の概要】
【０００３】
本開示の一態様によると、全画面表示モジュールと、当該電気光学素子の周囲に画定される複数の面を含む電気光学素子と、を含む、車両用の表示ミラーアセンブリが提示される。電気光学素子は、その対向面上に配置された第１の表面と第２の表面とを有する、第１の実質的に透明な基体を含む。第２の表面は、第１の導電層を含む。第２の実質的に透明な基体が、その対向面上に配置された第３の表面と第４の表面とを有する。第３の表面は、第２の導電層を含む。第１の基体と第２の基体との間に１次シールが配置される。当該シール並びに第１及び第２の基体は、それらの間に空洞を画定する。電気光学媒体が空洞内に配置される。当該電気光学媒体は、当該電気光学媒体が概して明るい状態と暗い状態との間で動作可能なように可変透過性である。第１の電気接続部と第２の電気接続部とが、電気光学素子の同一面上に位置する。
【０００４】
本開示の別の態様によると、全画面表示モジュールと、その対向面上に配置された第１の表面と第２の表面を有する第１の実質的に透明な基体およびその対向面上に配置された第３の表面と第４の表面を有する第２の実質的に透明な基体を含む電気光学素子と、を含む、車両用の表示ミラーアセンブリが提示される。第１の基体と第２の基体との間に１次シールが配置される。第１のコンダクタが、電気光学素子の上面に沿って、第１の基体と第２の基体との間に位置し、第１の電気接続部に電気的に結合されている。第２のコンダクタが第１の基体と第２の基体との間に位置し、当該第２のコンダクタは、第２の電気接続部と導電層とに電気的に結合されている。第２のコンダクタは、電気光学素子の導電層とは異なる面上で前記第２の電気接続部に電気的に結合されている。
【０００５】
本開示のさらに別の態様によると、全画面表示モジュールと、当該全画面表示モジュールの車両前方に位置する電気光学素子と、を含む、車両用の表示ミラーアセンブリが提示される。電気光学素子は、第１の実質的に透明な基体、第２の実質的に透明な基体、第１の基体と第２の基体との間に位置する電気光学媒体、電気光学素子の同一面上に位置する第１の電気接続部と第２の電気接続部、を含む。第１のコンダクタは第１の電気接続部で電気的に結合され、第２のコンダクタは第２の電気接続部に電気的に結合されている。第１のコンダクタ及び第２のコンダクタは、電気光学素子の対向面上で電気光学媒体と電気的に結合されている。
【０００６】
本開示のさらに別の態様によると、設計のフレキシビリティが増大し、構成要素サイズが低減し、ビューアーに対する審美上のアピールが増大し、そして、電気が表示ミラーに結合される場所に関係なく、電気光学媒体が明るい状態と暗い状態との間で均一に遷移することを提供する、表示ミラーが提供される。
【０００７】
本発明のこれら及びその他の態様、目的、及び特徴は、以下の明細書、特許請求の範囲、及び添付図面を参照することにより、当業者によって理解及び認識される。
【０００８】
図面については、まず、以下の通り。
【図面の簡単な説明】
【０００９】
【図１】図１は、一実施形態による、車両用の表示ミラーアセンブリの上部正面斜視図である。
【００１０】
【図２】図２は、一実施形態による、図１の表示ミラーアセンブリの部分的に分解した上部斜視図である。
【００１１】
【図３Ａ】図３Ａは、一実施形態による、表示ミラーの電気光学素子の正面平面図である。
【００１２】
【図３Ｂ】図３Ｂは、一実施形態による、表示ミラーの電気光学素子の背面平面図である。
【００１３】
【図４Ａ】図４Ａは、一実施形態による、図３Ａの線４Ａにおける電気光学素子の断面図である。
【００１４】
【図４Ｂ】図４Ｂは、一実施形態による、図３Ａの線４Ｂにおける電気光学素子の断面図である。
【００１５】
【図４Ｃ】図４Ｃは、一実施形態による、図３Ｃの線４Ｃにおける電気光学素子の断面図である。
【発明を実施するための形態】
【００１６】
本明細書における記述の目的のために、用語「上部の」、「下部の」、「右の」、「左の」、「後方の」、「前方の」、「垂直の」、「水平の」、及びそれについての派生語は、図１において関連付けられた開示に関するものとする。しかしながら、それとは逆に明確に特定されたもの以外は、発明はさまざまな代わりの配向をとり得る、と理解されるべきである。添付図面に図示され、かつ以下の明細書に記述された特定のデバイス及びプロセスは、添付された特許請求の範囲において定義された発明概念の単なる例示的な実施形態であることも理解されるべきである。したがって、本明細書に開示された実施形態に関する特定の寸法及び他の物理的特性は、特許請求の範囲が明示的に別段に述べない限り、限定するものと見なされるべきではない。
【００１７】
図１乃至図４Ｃを参照すると、参照符号１０は、全体として、全画面表示モジュール１２と電気光学素子１４とを含む、車両用の表示ミラーアセンブリを示す。電気光学素子１４は、当該電気光学素子１４の周囲において画定される複数の面を含む。電気光学素子１４は、その対向面上に配置された第１の表面１８と第２の表面２２とを有する、第１の実質的に透明な基体１６を含む。第２の表面２２は、第１の導電層２６を含む。第２の実質的に透明な基体３０が、その対向面上に配置された第３の表面３４と第４の表面３８とを含む。第３の表面３４は、第２の導電層４２を含む。１次シール４６が、第１の基体１６と第２の基体３０との間に配置され、当該シール４６並びに第１の基体１６及び第２の基体３０がそれらの間に空洞５０を画定する。電気光学媒体５４が空洞５０内に配置されている。電気光学媒体５４は、当該電気光学媒体１４が概して明るい状態と暗い状態との間で動作可能なように、可変透過性である。第１の電気接続部５８及び第２の電気接続部６２が、電気光学素子１４の同一面上に位置している。
【００１８】
電気光学素子１４は、本明細書に記載および図示されるように、複数の面を含み得る。電気光学素子１４の各面は、長手方向に広がり、曲線（曲面）状であるかあるいは実質的に直線（平坦）状であるかのいずれかであって、コーナー部（例えば、約１０°よりも大きい急激な方向変化）によって分離されている。例えば、電気光学素子１４の矩形形状は（図示するように）４つの面を有するが（つまり、上面、底面、および２つの側面）、楕円形状（例えば、２つの面）、丸みを付けた形状（例えば、１つの面）、または、４つよりも多い面を有する形状（例えば、五角形）、を有する電気光学素子１４が考えられる。
【００１９】
図１及び図２を一般に参照すると、表示ミラーアセンブリ１０は表示領域８０を有し、この表示領域８０には電気光学素子１４の第１の表面１８が含まれる。表示領域８０は矩形形状、台形形状、または、審美的な理由で望ましい任意のカスタム輪郭形状、であり得る。表示ミラーアセンブリ１０は、当該表示ミラーアセンブリ１０から後方に延びる実装部材８４を介して車両に実装され得る。
【００２０】
図２を参照すると、車両用の表示ミラーアセンブリ１０が部分的に分解して図示された構成要素によって示されている。表示ミラーアセンブリ１０は、電気光学素子１４と、全画面表示モジュール１２を閉じ込めたフロントシールド８８及びリアシールド９２と、後部筐体９６と、実装部材８４と、を含む。一実施形態において、全画面表示モジュール１２は、米国特許出願公開第２０１４／０２６８３５５Ａ１に記載されたのと同様に製造され得る。当該文献の開示内容は、当該参照によりその全体が本明細書に組み込まれる。本開示の目的においては、「全画面」表示モジュール１２とは、表示モジュール１２が、表示ミラーアセンブリ１０の表示面全体の少なくとも約７０％、少なくとも約７５％、少なくとも約８０％、少なくとも約８５％、少なくとも約９０％、少なくとも約９５％、または少なくとも約９９％、であるモジュールである。再び図示の実施形態を参照すると、フロントシールド８８と、リアシールド９２と、全画面表示モジュール１２の構成要素とは、全画面表示モジュール１２のいくつかの構成要素とフロントシールド８８及びリアシールド９２とを動作可能なように互いに接続し且つ全画面表示モジュール１２に対する支持を提供するための、様々な保持形体を備える。具体的には、フロントシールド８８は、全画面表示モジュール１２にフロントシールド８８を動作可能なように接続するための保持形体を含んでおり、リアシールド９２は、全画面表示モジュール１２にリアシールド９２を動作可能なように接続するための保持形体を有する。保持形体としては、スナップフィット式接続、タブおよびスロットによる接続、ねじ込み式接続、および他の公知の保持形体が挙げられる。保持形体の一部または全てが、接着剤化合物の追加によって強化されてもよい。
【００２１】
図２の実施形態に示されるように、光学素子１４は概ね平坦であり、外周部１００と外周部１００の周りの分光フィルタ１０４とを有する。分光フィルタ１０４は、表示ミラーアセンブリ１０内の電気光学素子１４の内部及び／または後方に位置するフロントシールド８８及び他の素子を隠すように、クロム輪または他の同様な仕上げ等の隠蔽層を組み込み得て、限定されるものではないが、エレクトロクロミックユニット上の１次シール４６、アップリケ、発泡性接着剤、パッド印刷等が含まれる。分光フィルタ１０４は、電気光学素子１４の外周部１００から全画面表示モジュール１２の外側縁部１０８へ延びていてもよい。あるいは、分光フィルタ１０４は、より狭くてもよく、分光フィルタ１０４の少なくともいくつかの部分に沿って全画面表示モジュール１２の外側縁部１０８に外周部１００から達しなくてもよい。電気光学素子１４の第１の基体１６の周囲は、丸縁部、傾斜縁部、巻締縁部、レーザ切断縁部、またはその組み合わせを含む。
【００２２】
なおも図２を参照すると、フロントシールド８８が機能して、無線周波数（ＲＦ）電磁放射から全画面表示モジュール１２を保護し、電気光学素子１４および全画面表示モジュール１２の支持を提供する。フロントシールド８８は、ＲＦ放射をブロックするのに適した１または複数の材料（限定されるものではないが、例えば鋼材）から形成される。非限定的な例として、フロントシールド８８は、型押しされた約０．２ｍｍ厚の鋼材から形成され得る。全画面表示モジュール１２は、フロントシールド８８の後方に配置され、表示画面１１２はフロントシールド８８の開口部を通して見ることができる。表示モジュール１２は、ＬＣＤ、ＬＥＤ、ＯＬＥＤ、プラズマ、ＤＬＰ、または他の表示装置技術であってよい。さらに、表示モジュール１２は、１つ以上の光ガイドを組み込んでもよい。
【００２３】
次に図３Ａ、図３Ｂ、図４Ａ及び図４Ｂを参照すると、第２の基体３０は第１の基体１６よりもわずかに小さく、これにより、第１の基体１６と第２の基体３０との間のオフセットが相対的に小さくなる。こうした実施形態は、第１の電気接続部５８と第２の電気接続部６２を隠すとともに、電気光学素子１４に明確な縁部を提供する点において、有益であり得る。様々な実施形態において、第１の電気接続部５８と第２の電気接続部６２は、Ｊクリップなどの電気クリップであり得て、あるいは、雄雌接続などの複数の電気接続部構成要素を含んでもよい。１次シール４６は、第１の基体１６及び第２の基体３０のほぼ周囲を横断し、第１の基体１６及び第２の基体３０と協働して第１の基体１６及び第２の基体３０の間に空洞５０を画定するよう構成されている。様々な実施形態において、空洞５０は実質的に気密である。様々な実施形態において、１次シール４６は、液晶表示（ＬＣＤ）産業において通常使用される、シルクスクリーンまたは分注などの方法によって第１の基体１６または第２の基体３０に塗布され得る。分光フィルタ１０４は、１次シール４６からキャビティ５０内に、１次シール４６をビューアーから概して隠すのに十分な距離まで、内周側に延びる。
【００２４】
次に、図４Ａ乃至図４Ｃを参照すると、電気光学媒体５４は、空洞５０内に配置されている。様々な実施形態において、電気光学素子１４は、エレクトロクロミック素子であり得る。このような実施形態において、電気光学媒体５４は、少なくとも１つの溶媒、少なくとも１つのアノード材料、及び少なくとも１つのカソード材料を含むエレクトロクロミック媒体であり得る。典型的には、アノード材料とカソード材料の両方が電気活性であり、それらの少なくとも１つはエレクトロクロミックである。その通常の意味にかかわらず、用語「電気活性」は、本明細書では、特定の電位差に曝されたときにその酸化状態が変化する材料として定義されることが理解される。さらに、「エレクトロクロミック」という用語は、その通常の意味にかかわらず、特定の電位差に曝されたときに１つまたは複数の波長でその消光係数に変化を示す材料として定義されることが理解されよう。本明細書に記載のエレクトロクロミック成分は、電界が当該材料に加えられると色または不透明度が第１相から第２相に変化するように、色または不透明度が電流によって影響を受ける材料を含む。エレクトロクロミック成分は、単層、単相成分、多層成分、または多相成分であり得、「Ｅｌｅｃｔｒｏｃｈｒｏｍｉｃ  Ｌａｙｅｒ  Ａｎｄ  Ｄｅｖｉｃｅｓ  Ｃｏｍｐｒｉｓｉｎｇ  Ｓａｍｅ」と題する米国特許第５，９２８，５７２号、「Ｅｌｅｃｔｒｏｃｈｒｏｍｉｃ  Ｃｏｍｐｏｕｎｄｓ」と題する米国特許第５，９９８，６１７号、「Ｅｌｅｃｔｒｏｃｈｒｏｍｉｃ  Ｍｅｄｉｕｍ  Ｃａｐａｂｌｅ  Ｏｆ  Ｐｒｏｄｕｃｉｎｇ  Ａ  Ｐｒｅｓｅｌｅｃｔｅｄ  Ｃｏｌｏｒ」と題する米国特許第６，０２０，９８７号、「Ｅｌｅｃｔｒｏｃｈｒｏｍｉｃ  Ｃｏｍｐｏｕｎｄｓ」と題する米国特許第６，０３７，４７１号、「Ｅｌｅｃｔｒｏｃｈｒｏｍｉｃ  Ｍｅｄｉａ  Ｆｏｒ  Ｐｒｏｄｕｃｉｎｇ  Ａ  Ｐｒｅ−ｓｅｌｅｃｔｅｄ  Ｃｏｌｏｒ」と題する米国特許第６，１４１，１３７号、「Ｅｌｅｃｔｒｏｃｈｒｏｍｉｃ  Ｓｙｓｔｅｍ」と題する米国特許第６，２４１，９１６号、「Ｎｅａｒ  Ｉｎｆｒａｒｅｄ−Ａｂｓｏｒｂｉｎｇ  Ｅｌｅｃｔｒｏｃｈｒｏｍｉｃ  Ｃｏｍｐｏｕｎｄｓ  Ａｎｄ  Ｄｅｖｉｃｅｓ  Ｃｏｍｐｒｉｓｉｎｇ  Ｓａｍｅ，」と題する米国特許第６，１９３，９１２号、「Ｃｏｕｐｌｅｄ  Ｅｌｅｃｔｒｏｃｈｒｏｍｉｃ  Ｃｏｍｐｏｕｎｄｓ  Ｗｉｔｈ  Ｐｈｏｔｏｓｔａｂｌｅ  Ｄｉｃａｔｉｏｎ  Ｏｘｉｄａｔｉｏｎ  Ｓｔａｔｅｓ」と題する米国特許第６，２４９，３６９号、そして「Ｅｌｅｃｔｒｏｃｈｒｏｍｉｃ  Ｍｅｄｉａ  Ｗｉｔｈ  Ｃｏｎｃｅｎｔｒａｔｉｏｎ  Ｅｎｈａｎｃｅｄ  Ｓｔａｂｉｌｉｔｙ，  Ｐｒｏｃｅｓｓ  Ｆｏｒ  Ｔｈｅ  Ｐｒｅｐａｒａｔｉｏｎ  Ｔｈｅｒｅｏｆ  ａｎｄ  Ｕｓｅ  Ｉｎ  Ｅｌｅｃｔｒｏｃｈｒｏｍｉｃ  Ｄｅｖｉｃｅｓ」と題する米国特許第６，１３７，６２０号、「Ｅｌｅｃｔｒｏｃｈｒｏｍｉｃ  Ｄｅｖｉｃｅ」と題する米国特許第６，５１９，０７２号、そして「Ｅｌｅｃｔｒｏｃｈｒｏｍｉｃ  Ｐｏｌｙｍｅｒｉｃ  Ｓｏｌｉｄ  Ｆｉｌｍｓ，  Ｍａｎｕｆａｃｔｕｒｉｎｇ  Ｅｌｅｃｔｒｏｃｈｒｏｍｉｃ  Ｄｅｖｉｃｅｓ  Ｕｓｉｎｇ  Ｓｕｃｈ  Ｓｏｌｉｄ  Ｆｉｌｍｓ，  ��ｎｄ  Ｐｒｏｃｅｓｓｅｓ  Ｆｏｒ  Ｍａｋｉｎｇ  Ｓｕｃｈ  Ｓｏｌｉｄ  Ｆｉｌｍｓ  Ａｎｄ  Ｄｅｖｉｃｅｓ」と題する国際特許出願ＰＣＴ／ＵＳ９８／０５５７０号、「Ｅｌｅｃｔｒｏｃｈｒｏｍｉｃ  Ｐｏｌｙｍｅｒ  Ｓｙｓｔｅｍ」と題する国際特許出願ＰＣＴ／ＥＰ９８／０３８６２号、および「Ｅｌｅｃｔｒｏｃｈｒｏｍｉｃ  Ｐｏｌｙｍｅｒｉｃ  Ｓｏｌｉｄ  Ｆｉｌｍｓ，  Ｍａｎｕｆａｃｔｕｒｉｎｇ  Ｅｌｅｃｔｒｏｃｈｒｏｍｉｃ  Ｄｅｖｉｃｅｓ  Ｕｓｉｎｇ  Ｓｕｃｈ  Ｓｏｌｉｄ  Ｆｉｌｍｓ，  Ａｎｄ  Ｐｒｏｃｅｓｓｅｓ  Ｆｏｒ  Ｍａｋｉｎｇ  Ｓｕｃｈ  Ｓｏｌｉｄ  Ｆｉｌｍｓ  Ａｎｄ  Ｄｅｖｉｃｅｓ」と題する国際特許出願ＰＣＴ／ＵＳ９８／０５５７０号、に記載され、それらのすべては、当該参照によりその全体が本明細書に組み込まれる。
【００２５】
さらに図３Ａ、図３Ｂ、図４Ａ及び図４Ｂを参照すると、第１のコンダクタ１２０及びｈ第２のコンダクタ１２４が、電気光学素子１４の周囲の一部の周りに配置されている。第１のコンダクタ１２０及び第２のコンダクタ１２４は、１次シール４６の外周側に位置し、第１の電気接続部５８を第１の導電層２６に、そして第２の電気接続部６２を第２の導電層４２に、電気的に接続するよう機能する。様々な実施形態において、第１の導電層２６と第２の導電層４２は、酸化インジウムスズ、アルミニウムドープ酸化亜鉛およびインジウムドープ酸化カドミウム、カーボンナノチューブ、グラフェン、またはその組み合わせ、から形成され得る。様々な実施形態において、第２の導電層４２は、金属リフレクタ、または、米国特許第６，７００，６９２号に開示される部分的反射性で部分的透過性のコーティングのいずれかとして構成される１つ以上のコーティング、を含み得る。当該文献の開示内容は、当該参照によりその全体が本明細書に組み込まれる。例示であって限定するものではないが、第１のコンダクタ１２０及び第２のコンダクタ１２４は、導電性はんだ、導電性エポキシ（例えば、銀エポキシ）、ワイヤ、金属はんだ、超音波はんだ、導電性インク、導電性フリット及び／または電気伝達可能な他の材料とし得る。一部の実施形態において、第１のコンダクタ１２０及び第２のコンダクタ１２４は、異なる材料である。図示の実施形態において、第１のコンダクタ１２０は、第１の電気接続部５８の両面上で、電気光学素子１４の上周に沿って延びているが、別の実施形態では、第１の電気接続部５８の単一面からのみ延びていてもよい。第１のコンダクタ１２０は、第１の導電層２６に電気的接続を提供する分光フィルタ１０４に電気的に結合されている。第１のコンダクタ１２０と第２の電気接続部６２との間に位置するのは、分離ギャップ１２８である。分離ギャップ１２８では、１次シール４６の厚みが拡張して、電気光学素子１４を通る電気経路における短絡を防止するよう働く。分離ギャップ１２８は、約０．１ｃｍよりも大きい、約０．５ｃｍよりも大きい、約１．０ｃｍよりも大きい、約１．５ｃｍよりも大きい、約２．０ｃｍよりも大きい、約２．５ｃｍよりも大きい、約３．０ｃｍよりも大きい、約３．５ｃｍよりも大きい、または約４ｃｍよりも大きい、という長さを有し得る。あるいは、分離ギャップ１２８の長さは約３０ｍｍ未満としてもよい。
【００２６】
第２のコンダクタ１２４は、第２の電気接続部６２と電気的に連通している。図示の実施形態では、第２のコンダクタ１２４は、第２の電気接続部６２において開始し、電気光学素子１４の側面と底部に沿って延びている。第２のコンダクタ１２４の長さに沿って、分離線１３２が第１の導電層２６と分光フィルタ１０４とを通って配置されている。分離線１３２は、第２のコンダクタ１２４を第１の導電層２６から電気的に分離するよう構成されている。分離線１３２は、１次シール４６の上に配置されるものとして図示されているが、第２のコンダクタ１２４を第１の導電層２６から電気的に分離する様々な場所に配置され得る。分離線１３２は、分光フィルタ１０４と第１の導電層２６とのレーザーアブレーションを介して形成されてもよく、あるいは、分光フィルタ１０４と第１の導電層２６との選択的塗布を介して形成されてもよい。分離線１３２は、約４０μ未満、約３０μ未満、約２０μ未満、約１５μ未満、約１４μ未満、約１３μ未満、約１２μ未満、約１１μ未満、約１０μ未満、約９μ未満、約８μ未満、約７μ未満、約６μ未満、または約５μ未満、の厚さを有し得る。一部の実施形態では、分離線１３２は、当該分離線１３２が人の目に知覚されない程に十分に小さい幅であり得る。別の実施形態では、分離線１３２は、当該分離線１３２が電気光学素子１４にわたって審美的に満足な反射対称性を有するように電気光学素子１４の周りに延びてもよい。
【００２７】
第３の表面３４上に位置する第２の導電層４２及びフィルム１４８の一部は、電気光学素子１４の周囲に沿って連続的に切除（ａｂｌａｔｅ）され得て、そして、電気光学素子１４の底面において切除（ａｂｌａｔｅ）され得て、「鋸歯」パターンを形成する。図示の実施形態において、導電層４２及びフィルム１４８は、複数の開口１３６と多数の接点１４０とを画定する。電気光学素子１４の切除された周囲と複数の開口１３６とが、１次シール４６、第１のコンダクタ１２０及び／または第２のコンダクタ１２４について欠陥（例えば、ギャップまたは穴）を見るおよび検査することを許容する。接点１４０は、第２のコンダクタ１２４に向かって１次シール４６上に延びている。接点１４０は、第２のコンダクタ１２４に電気的に結合され、これによって第２のコンダクタ１２４と第２の導電層４２との間の電気的結合を促進している。切除（ａｂｌａｔｉｏｎ）および接点１４０の使用により、電気光学媒体５４への電気の広く均一な印加が可能であるが、これは、電気光学素子１４のエレクトロクロミック実施形態における電気光学媒体５４の明るい状態と暗い状態との間の均一した遷移を促進する。電気光学媒体５４への電気の広く均一な印加は、電気光学媒体５４の一部が他の部分よりも早く暗くならないことを保証することによって、明るい状態と暗い状態との間の均一した遷移を促進する。
【００２８】
次に、図４Ａ乃至図４Ｃを参照すると、電気光学素子１４は、第３の表面３４上に位置するフィルム１４８を含み得る。フィルム１４８は、反射性、透過性、または部分的反射性かつ部分的透過性の組み合わせ、の特性を有し得る。こうした実施形態においては、フィルム１４８の使用により、表示ミラーアセンブリ１０のビューアーは、全画面表示モジュール１２が活性状態にある間（例えば、発光している間）は全画面表示モジュール１２（図２）を見ることが可能となるが、全画面表示モジュール１２がオフの間（例えば、発光していない間）も、フィルム１４８の反射特性によって反射ミラーとしてフィルム１４８を知覚することが可能となる。
【００２９】
本開示（例えば、同一面上の第１のコンダクタ１２０と第２のコンダクタ１２４、分離線１３２、および導電バス１３６）の使用により、様々な利点が実現可能となり得る。例えば、本開示の第１のコンダクタ１２０及び第２のコンダクタ１２４の使用により、電気光学素子１４の設計者は、電気が電気光学媒体５４に入る場所から、電気が電気光学素子１４に入る場所を分離することが可能となる。一般的に、従来の電気光学素子では、素子にわたる均一な変化を達成するために、素子の対向面上に電気接続部を置かなければならない。本開示は、電気光学媒体５４の明るい状態と暗い状態との間の均一した遷移を促進させる方法で電気光学媒体５４に電気をチャネリングしつつ、第１の電気接続部５８と第２の電気接続部６２の最適な配置のために、電気光学素子１４の周りの小さいベゼル、フレームまたは筐体の使用を可能にし得る点において有利である。また、第１のコンダクタ１２０及び第２のコンダクタ１２４の使用によって、第１の電気接続部５８及び第２の電気接続部６２を、可動性が小さい接続部に近接する領域に移動することを許容することによって、表示ミラーアセンブリ１０の設計におけるフレキシビリティを許容する。例えば、全画面表示モジュール１２は、当該全画面表示モジュール１２の上部から突出する表示コネクタを有してもよい。こうした実施例では、第１のコンダクタ１２０及び第２のコンダクタ１２４は、全ての電気接続部（例えば、全画面表示モジュール１２用の表示コネクタと第１の電気接続部５８および第２の電気接続部６２）を表示ミラーアセンブリ１０の単一面（例えば、上面）上に位置させ、これによって表示ミラーアセンブリ１０の周りの他の場所におけるより薄い外形を許容する、というように利用され得る。また、第１のコンダクタ１２０と第２のコンダクタ１２４の使用により、無線周波数シールド（例えば、フロントシールド８８およびリアシールド９２）が可能となり得、及び／または、より少ないか、あるいはより小さい開口が、シールドを通して生成されることを可能にし得る。
【００３０】
第１のコンダクタ１２０及び第２のコンダクタ１２４の配置について本明細書で説明および図示したが、第１のコンダクタ１２０と第２のコンダクタ１２４は、電気光学素子１４の周りの様々な位置に配置され得る。例えば、第１の電気接続部５８と第２の電気接続部６２は、電気光学素子１４の一つの面上（例えば、注入口の各面上）に位置付けられ、第１のコンダクタ１２０と第２のコンダクタ１２４は、気光学素子１４の側面に沿って対向する方向に延びてもよい。
【００３１】
本開示は、米国特許第８，９２５，８９１号、米国特許第８，８１４，３７３号、米国特許第８，２０１，８００号、米国特許第８，２１０，６９５号、米国特許出願公開第２０１４／００６３６３０号、米国特許出願公開第２０１２／０３２７２３４号、米国仮特許出願第６１／７０９，７１６号、米国仮特許出願第６１／７０７，６７６号、及び、米国仮特許出願第６１／７０４，８６９号に記述されているような後方視認アセンブリと共に使用されうる。これら文献の開示内容は、当該参照によりその全体が本明細書に組み込まれる。さらに、本開示は、米国特許第８，８８５，２４０号、米国特許第８，８１４，３７３号、米国特許第８，６４６，９２４号、米国特許第８，６４３，９３１号、米国特許第８，２６４，７６１号、米国仮特許出願第６１／７０７，６２５号、及び、米国仮特許出願第６１／５９０，２５９号に記述されているような後方視認パッケージアセンブリと共に使用されうる。これら文献の開示内容は、当該参照によりその全体が本明細書に組み込まれる。さらに、本開示は、米国特許第８，８２７，５１７号、米国特許第８，２１０，６９５号、及び、米国特許第８，２０１，８００号に記述されているようなベゼルを含むことができることが意図されている。これら文献の開示内容は、当該参照によりその全体が本明細書に組み込まれる。
【００３２】
記述された発明及び他の構成要素の構築は、いなかる特定の材料にも限定されないことが、当業者によって理解されるだろう。本明細書に開示された発明の他の例示的な実施形態は、本明細書に別段の記載がある場合を除き、広範な材料から形成され得る。
【００３３】
本開示用に、用語「ｃｏｕｐｌｅｄ（結合された）」（ｃｏｕｐｌｅ，ｃｏｕｐｌｉｎｇ，ｃｏｕｐｌｅｄなどその形式のすべてにおいて）は、直接的であれ間接的であれ、互いに２つの構成要素（電気的または機械的）が接合することを概して意味する。このような接合は、本質的に静止状態かまたは本質的に可動状態であってもよい。このような接合は、２つの構成要素（電気的または機械的）、ならびに、互いとまたは２つの構成要素と１つの単体として一体成形される付加的中間部材で、達成されてもよい。このような接合は、本質的に永続的であってよいか、または、別段の記載がない限り、本質的に取外し可能つまり遊離可能であってもよい。
【００３４】
例示的な実施形態において示されるような本開示の要素の構築および配置は、単に説明的であることに注意することも重要である。本発明の少数の実施形態だけが、本開示において詳細に記述されているが、本開示を検討する当業者は、列挙された主題の新規の教示および利点から逸脱することなく、多くの修正が可能（例えば、さまざまな要素のサイズ、寸法、構造、形および比率、パラメータ値、取り付け方法、材料の使用、色、向きなど）であることを容易に認識するだろう。例えば、一体成形として示される要素は、複数の部品が一体成形されてもよいように示される複数の部品または要素から構成されてもよく、インタフェースの操作が逆にまたは他の態様に変化されてもよく、システムの構造および／または部材またはコネクタまたは他の要素の長さまたは幅が変化されてもよく、要素間に提供された調整位置の性質または個数が変化されてもよい。システムの要素および／またはアセンブリは、任意の広範な色、質感、および組合せにおいて、十分な強度または耐久性を提供する、任意の広範な材料から構成されてもよい。その結果、すべてのこのような修正は、本発明の範囲内に含まれるように意図される。他の代用、修正、変化、および省略は、本発明の精神から逸脱することなく、所望の他の例示的な実施形態のデザイン、操作条件および配置において、なされ得る。
【００３５】
いずれの説明されたプロセスまたは説明されたプロセス内のステップも、その他の開示されたプロセスまたはステップと組み合わされ、本開示の範囲内で構造を形成し得ることが理解されるであろう。本明細書に開示された例示的な構造およびプロセスは、説明のためのものであり、制限として解釈してはならない。
【００３６】
変形および修正が、本開示の概念から逸脱することなく、前述の構造および方法においてなされ得ることも理解されるべきであり、さらに、このような概念は、特許請求の範囲がそれらの言葉で別段に明確に述べられていない限り、以下の特許請求の範囲に含まれるものとされることが理解されるべきである。
【図１】
0006720297.tif 000002
【図２】
0006720297.tif 000003
【図３Ａ】
0006720297.tif 000004
【図３Ｂ】
0006720297.tif 000005
【図４Ａ】
0006720297.tif 000006
【図４Ｂ】
0006720297.tif 000007
【図４Ｃ】
0006720297.tif 000008